(57)【要約】      （修正有）【課題】上側ウォータジャケットと下側ウォータジャケットとの冷却水の通流を促進する。【解決手段】冷却水が通流するウォータジャケットを、下側ウォータジャケット２１と、その上側に形成される上側ウォータジャケット２２と、を有する上下二層構造とする。両者２１，２２を上下に仕切る仕切壁部２３のヘッド幅方向Ｌ３の中央部に、両者２１，２２を連通する連通孔２５を貫通形成する。仕切壁部２３に、連通孔２５が形成された中央部からヘッド幅方向Ｌ３の両端部へ向けて斜め下方に傾斜する一対の傾斜壁部２８を形成する。【選択図】図１
2014114710.tif 000002
【特許請求の範囲】
【請求項１】
冷却水が通流するウォータジャケットが、下側ウォータジャケットと、この下側ウォータジャケットよりも上側に形成される上側ウォータジャケットと、を有する上下二層構造をなし、
上記上側ウォータジャケットと下側ウォータジャケットとを上下に仕切る仕切壁部を有し、
この仕切壁部には、上側ウォータジャケットと下側ウォータジャケットとを連通する連通孔が貫通形成され、
かつ、上記仕切壁部における連通孔の両側に、冷却水の対流を促進するように上記連通孔へ向けて斜め上方に傾斜する一対の傾斜壁部が形成されていることを特徴とするシリンダヘッドの冷却構造。
【請求項２】
上記傾斜壁部は、クランク軸方向とシリンダ軸方向の双方に直交するヘッド幅方向に関して、上記連通孔へ向けて斜め上方に傾斜していることを特徴とする請求項１に記載のシリンダヘッドの冷却構造。
【請求項３】
上記連通孔は、クランク軸方向に関して隣り合う２つの気筒の燃焼室の間に配置されていることを特徴とする請求項１又は２に記載のシリンダヘッドの冷却構造。
【請求項４】
上記仕切壁部には、クランク軸方向の両端部に、上側ウォータジャケットと下側ウォータジャケットとを連通する補助連通孔が貫通形成されていることを特徴とする請求項３に記載のシリンダヘッドの冷却構造。
【請求項５】
上記上側ウォータジャケットと下側ウォータジャケットのうち、下側ウォータジャケットに、冷却水を導入する冷却水導入口が開口形成されていることを特徴とする請求項１〜４のいずれかに記載のシリンダヘッドの冷却構造。
【請求項６】
機関冷機時には、内燃機関の暖機を促進するように、電動式のウォータポンプを停止させることを特徴とする請求項１〜５のいずれかに記載のシリンダヘッドの冷却構造。
【発明の詳細な説明】
【技術分野】
【０００１】
本発明は、内燃機関のシリンダヘッドの冷却構造に関する。
【背景技術】
【０００２】
シリンダヘッドの冷却構造として、特許文献１に記載のものでは、冷却水が通流するウォータジャケットを、下側ウォータジャケットと、この下側ウォータジャケットよりも上側に配置された上側ウォータジャケットと、を有する上下二層の構造とし、両者を仕切る仕切壁部に、両者を連通する連通孔を貫通形成している。
【先行技術文献】
【特許文献】
【０００３】
【特許文献１】特開２００３−１８４６４４号公報
【発明の概要】
【発明が解決しようとする課題】
【０００４】
上側ウォータジャケットと下側ウォータジャケットとの間の冷却水の通流が滞ると、両者間の温度差が大きくなって、冷却効率を低下させるおそれがある。具体的には、燃焼室に近い下側ウォータジャケットの温度が上側ウォータジャケットの温度に比して高くなり易いために、両者の温度差が大きくなると、燃焼室周りの冷却性能が低下するおそれがある。
【０００５】
そこで本発明は、連通孔を通して下側ウォータジャケットから上側ウォータジャケットへ向かう冷却水の流れ（対流）を促進し、上側ウォータジャケットと下側ウォータジャケットとの温度差を低減することにより、冷却性能を向上することができる新規なシリンダヘッドの冷却構造を提供することを目的としている。
【課題を解決するための手段】
【０００６】
本発明に係るシリンダヘッドの冷却構造では、冷却水が通流するウォータジャケットが、下側ウォータジャケットと、この下側ウォータジャケットよりも上側に形成される上側ウォータジャケットと、を有する上下二層構造をなしている。また、上側ウォータジャケットと下側ウォータジャケットとを上下に仕切る仕切壁部を有し、この仕切壁部には、上側ウォータジャケットと下側ウォータジャケットとを連通する連通孔が貫通形成されている。そして、上記仕切壁部における連通孔の両側に、冷却水の対流を促進するように上記連通孔へ向けて斜め上方に傾斜する一対の傾斜壁部が形成されている。
【０００７】
機関運転中には、下側ウォータジャケットと上側ウォータジャケットのうち、燃焼室に近い下側ウォータジャケット内の冷却水温度が上昇し易く、両者の温度差により、連通孔を通して下側ウォータジャケットから上側ウォータジャケットへ向かう冷却水の流れ、すなわち対流が生じる。
【０００８】
ここで本発明では、連通孔へ向けて斜め上方に傾斜する傾斜壁部を仕切壁部に設けたことで、この傾斜壁部に沿う形で下側ウォータジャケットから連通孔へ向かう冷却水の流れが促進される。つまり、傾斜壁部が下側ウォータジャケット内の冷却水を連通孔へ案内するガイド壁部として機能することとなり、上記の対流が促進される。
【発明の効果】
【０００９】
このように本発明によれば、連通孔を通して下側ウォータジャケットから上側ウォータジャケットへ向かう冷却水の流れを促進し、下側ウォータジャケットと上側ウォータジャケットとの温度差を低減して、熱交換性能を向上することができる。
【図面の簡単な説明】
【００１０】
【図１】本発明の一実施例に係る冷却構造が適用されたシリンダヘッドを示す図２のＥ−Ｅ線に沿う断面図。
【図２】上記シリンダヘッドを示す上面図。
【図３】上記シリンダヘッドを示す図２のＡ−Ａ線に沿う断面図。
【図４】上記シリンダヘッドを示す図２のＢ−Ｂ線に沿う断面図。
【図５】上記シリンダヘッドを示す側面図。
【図６】上記シリンダヘッドを示す図５のＣ−Ｃ線に沿う側面図。
【図７】上記シリンダヘッドを示す図５のＤ−Ｄ線に沿う側面図。
【発明を実施するための形態】
【００１１】
以下、図示実施例により本発明を説明する。このシリンダヘッド１０は、アルミ合金あるいは鋳鉄等の金属材料により一体的に鋳造されるもので、上方が開放する略箱形であって、かつ、気筒列方向・クランク軸方向Ｌ１に長尺な略直方体形状をなしている。このシリンダヘッド１０は、上側周縁部の取付フランジ部１１にヘッドカバー（図示省略）が固定されるとともに、下側周縁部でシリンダブロック（図示省略）に固定される。
【００１２】
図３及び図４にも示すように、シリンダブロックの上面に固定されるシリンダヘッド１０の下壁部１２の下面側には、複数（この例では３つ）の気筒の燃焼室１３がクランク軸方向Ｌ１に沿って配列されている。各燃焼室１３は、上方へ窪んだペントルーフ型をなしている。各燃焼室１３には一対の吸気ポート１４と一対の排気ポート１５とが連通している。図５及び図６に示すように、吸気ポート１４については、各気筒の一対の吸気ポート１４が途中で合流して吸気側の側壁に開口しており、つまり吸気側の側壁に合計３つの吸気ポート１４が開口している。一方、排気ポート１５については、全ての排気ポート１５が途中で合流して排気側の側壁に開口している。つまり排気側の側壁には１つの排気ポート１５のみが開口している。なお、ポート形状についてはこの実施例の構造に限らず、例えば排気ポートと吸気ポートとを同様の構造のものとしても良い。
【００１３】
シリンダヘッド１０には、点火プラグが取り付けられるプラグ孔１６が各気筒毎に設けられている。プラグ孔１６は、点火プラグを燃焼室１３の頂部に臨んだ姿勢に支持するように、その下端部が燃焼室１３の頂部付近に開放する円筒状をなしている。また、図２にも示すように、各プラグ孔１６を横切ってヘッド幅方向Ｌ３に延在する隔壁部１７が設けられている。各隔壁部１７の上面には、吸気弁及び排気弁を駆動する２本のカムシャフトを回転可能に支持するための半割形状の軸受面１８が形成されている。
【００１４】
そして、シリンダヘッド１０には、冷却水が通流する空間であるウォータジャケット２０が形成されている。このウォータジャケット２０は、車載搭載姿勢の鉛直方向・上下方向に沿うシリンダ軸方向Ｌ２に関して２層に分かれた構造となっており、つまり、下側ウォータジャケット２１と、この下側ウォータジャケット２１よりも上方に位置する上側ウォータジャケット２２と、を有する上下２層構造をなしている。
【００１５】
下側ウォータジャケット２１と上側ウォータジャケット２２とは、所定厚さを有する仕切壁部２３によって仕切られている。下側ウォータジャケット２１は、シリンダ軸方向Ｌ２に関して、シリンダヘッド１０の下面を構成する下壁部１２と、上記の仕切壁部２３と、の間に形成されている。上側ウォータジャケット２２は、上記の仕切壁部２３と、この仕切壁部２３の上方に配置される上壁部２４と、の間に形成されている。上壁部２４の上方の空間には吸気弁や排気弁等が配置される。
【００１６】
仕切壁部２３には、上側ウォータジャケット２２と下側ウォータジャケット２１とを連通する連通孔２５が貫通形成されている。なお、鋳造の際に連通孔２５を一体的に形成するように、鋳造時には上壁部２４にも貫通孔２６が連通孔２５と同軸上に貫通形成されている。この貫通孔２６は鋳造後には不要であるためにキャップ２７により閉塞される。図４に示すように、連通孔２５は、クランク軸方向Ｌ１に関して、隣り合う気筒の燃焼室１３の間、つまり気筒間の中央部分の合計二箇所に設けられている。
【００１７】
図１に示すように、各連通孔２５は、クランク軸方向Ｌ１及びシリンダ軸方向Ｌ２の双方に直交するヘッド幅方向Ｌ３に関して、シリンダヘッド１０の中央部に形成されている。そして、仕切壁部２３には連通孔２５のヘッド幅方向Ｌ３の両側に、連通孔２５が形成された中央部へ向けて斜め上方に傾斜する一対の傾斜壁部２８が形成されている。つまり、傾斜壁部２８は、連通孔２５が形成された中央部を頂部としてヘッド幅方向Ｌ３に上に凸な形状に形成されている。この傾斜壁部２８は、車載状態においても水平方向に対して中央（連通孔２５）が高くなるように傾斜しており、その傾斜角度は１５度以上に設定されている。
【００１８】
また、図３に示すように、上記の連通孔２５が設けられていない仕切壁部２３のクランク軸方向Ｌ１の両端部には、上側ウォータジャケット２２と下側ウォータジャケット２１とを連通する補助連通孔２９が貫通形成されている。
【００１９】
通常の機関稼働状態では、制御部１によって駆動制御される電動式のオイルポンプ２（図１参照）によって下方のシリンダブロックを循環した冷却水が、シリンダヘッド１０の下壁部１２に貫通形成された冷却水導入口３０を通してシリンダヘッド１０のウォータジャケット２０、より詳しくは下側ウォータジャケット２１の内部へと導入されて、ウォータジャケット２０内を循環する。このように、上下二層構造の下側ウォータジャケット２１と上側ウォータジャケット２２のうち、下側ウォータジャケット２１に冷却水導入口３０が形成され、この下側ウォータジャケット２１に冷却水が導入されるように構成されているために、下側ウォータジャケット２１側に冷却水を積極的に循環させて、高温となり易い燃焼室１３の近傍を効果的に冷却するように構成されている。
【００２０】
一方、機関始動直後等のように、暖機運転を行う冷機状態では、内燃機関が稼働しているにもかかわらず電動式のウォータポンプ２を停止して、ウォータジャケット２０内の冷却水の昇温を促進することで、ウォータジャケット２０の近傍に配置されるオイル通路内を流れるエンジンオイルの昇温を促進し、ひいては内燃機関の暖機を促進して、暖機運転を短期間で終わらせるためにようになっている。
【００２１】
このように機関稼働中に電動式のウォータポンプ２を停止させた場合、高温側の下側ウォータジャケット２１と低温側の上側ウォータジャケット２２との温度差によって、図１及び図４の矢印で示すように、温度の高い下側ウォータジャケット２１から温度の低い上側ウォータジャケット２２へ向かう冷却水の流れ、つまり対流が生じる。このように連通孔２５を通して上側ウォータジャケット２２内へ流れ込んだ冷却水は、クランク軸方向Ｌ１の両端に設けられた補助連通孔２９を通して下側ウォータジャケット２１のクランク軸方向へ戻される。このように、ウォータポンプ２を停止しているにもかかわらず、下側ウォータジャケット２１と上側ウォータジャケット２２とを循環する一連の冷却水の流れ（対流）が生成される。
【００２２】
ここで本実施例では、仕切壁部２３に中央の連通孔２５へ向かって上向きに傾斜する傾斜壁部２８を設けているために、この傾斜壁部２８に沿う形で下側ウォータジャケット２１内の冷却水が連通孔２５を通して上側ウォータジャケット２２へ流れ込み易くなる。つまり傾斜壁部２８が下側ウォータジャケット２１内の冷却水を連通孔２５へ導く形となって、上記の対流が促進される。
【００２３】
このように対流が促進されることで、アルミ合金製のシリンダヘッド１０と冷却水との熱交換が促進されるとともに、下側ウォータジャケット２１と上側ウォータジャケット２２との温度差が抑制されて、下側ウォータジャケット２１の過度な温度上昇が抑制される。ここで、下側ウォータジャケット２１が過度に昇温すると、オーバーヒートや部品温度の過昇温を回避するように、ウォータポンプ２の停止による暖機促進運転を解除して、ウォータポンプ２を再作動させる必要が生じるものの、本実施例では傾斜壁部２８を設けて上記の対流を促進することにより、下側ウォータジャケット２１の過度な昇温を抑制することができる。
【００２４】
また、上述した暖機後の通常の機関稼働状態においても、傾斜壁部２８によって下側ウォータジャケット２１から連通孔２５を通して上側ウォータジャケット２２へ向かう冷却水の流れが促進されることで、下側ウォータジャケット２１と上側ウォータジャケット２２との温度差を低減して、熱交換性能を向上することができる。
【００２５】
以上のように本発明を具体的な実施例に基づいて説明してきたが、本発明は上記実施例に限定されるものではなく、種々の変形・変更を含むものである。例えば、直列４気筒の内燃機関のような他の形式の内燃機関のシリンダヘッドにも本発明を同様に適用することができる。
【符号の説明】
【００２６】
２…ウォータポンプ
１０…シリンダヘッド
２０…ウォータジャケット
２１…下側ウォータジャケット
２２…上側ウォータジャケット
２３…仕切壁部
２５…連通孔
２８…傾斜壁部
２９…補助連通孔
【図１】
2014114710.tif 000003
【図２】
2014114710.tif 000004
【図３】
2014114710.tif 000005
【図４】
2014114710.tif 000006
【図５】
2014114710.tif 000007
【図６】
2014114710.tif 000008
【図７】
2014114710.tif 000009